(57)【要約】【課題】  側板の任意の高さにデスクカウンターを容易に且つ安定良く取り付ける。使用者の足元をすっきりして、外観性をよくし、周囲の収納性及び使用性もよくする。使用者の使用態様に応じた高さ位置を容易に選択する。【解決手段】  左右の側板２の内側側面２ａに高さ方向Ｈに複数の取付孔３が各々凹設される収納キャビネット１に、長さ寸法Ｌが収納キャビネット１の奥行き寸法Ｄよりも長い左右一対のデスク受け金具４の後半部分４Ｂを取り付ける。デスク受け金具４の上面に、デスク受け金具４の長さ寸法Ｌと略同じ奥行き寸法Ｅ１を有し且つ側板２，２間の幅寸法Ｇと略同じ幅寸法Ｅ２を有するデスクカウンター５を取り付ける。【選択図】        図１
2005177185.tif 000002
【特許請求の範囲】
【請求項１】
左右の側板の内側側面に高さ方向に複数の取付孔が各々凹設され、上記取付孔を用いて任意の高さに棚板を取り付け可能とした収納キャビネットと、長さ寸法が収納キャビネットの奥行き寸法よりも長い左右一対のデスク受け金具と、デスク受け金具の長さ寸法と略同じ奥行き寸法を有し且つ側板間の幅寸法と略同じ幅寸法を有するデスクカウンターとを備え、上記左右一対のデスク受け金具の前半部分を収納キャビネットの前方に突出させた状態で、その後半部分を左右の側板の任意の取付孔に取付ネジで取り付けると共に、各デスク受け金具の上面にデスクカウンターの両端部を取り付けてなることを特徴とするデスクカウンター付き収納キャビネット。
【請求項２】
上記デスク受け金具の内側側面が、デスクカウンターの下に配置される引出しのレール受け部となっていることを特徴とする請求項１記載のデスクカウンター付き収納キャビネット。
【請求項３】
上記デスクカウンターよりも上部の任意の取付孔に棚受け金具を取り付け、この棚受け金具に、収納キャビネットの奥行き寸法よりも短い奥行き寸法の小棚を取り付けてなることを特徴とする請求項１又は２記載のデスクカウンター付き収納キャビネット。
【発明の詳細な説明】
【技術分野】
【０００１】
本発明は、デスクカウンター付き収納キャビネットに関し、詳しくは、デスクカウンターを任意の高さで収納キャビネットの前方に突出させた状態で取り付ける技術に関するものである。
【背景技術】
【０００２】
従来から、収納キャビネット内から引き出しカウンターを引き出して作業机として用いる構造が知られている（例えば、特許文献１参照）。
【０００３】
ところが、上記特許文献１に示される従来例にあっては、収納キャビネット内に引き出しカウンターを収納する位置が予め決まっており、引き出しカウンターの高さも一定である。このため、使用者の身長や使用態様の相異或いは異なる需要に応じて引き出しカウンターを適当な高さに調整することができず、それ故、高さ異なる引き出しカウンターを備えた複数種類の収納キャビネットを必要に応じて製造する必要があり、多機能、多用途を求める現代の要求にそぐわないものである。
【特許文献１】特開２００１−２２４４５２号公報
【発明の開示】
【発明が解決しようとする課題】
【０００４】
本発明は上記の従来の問題点に鑑みて発明したものであって、側板の任意の高さにデスクカウンターを容易に且つ安定良く取り付けることができ、しかも、使用者の足元がすっきりとして、外観性がよくなり、周囲の収納性及び使用性もよくなり、そのうえ使用者の使用態様に応じた高さ位置を容易に選択できるデスクカウンター付き収納キャビネットを提供することを課題とするものであり、さらに、デスクカウンターの下に引出しを容易に取り付け可能とし、さらにデスクカウンターの上部の任意の高さに小棚を容易に取り付け可能としたデスクカウンター付き収納キャビネットを提供することを課題とするものである。
【課題を解決するための手段】
【０００５】
上記課題を解決するために本発明にあっては、左右の側板２の内側側面２ａに高さ方向Ｈに複数の取付孔３が各々凹設され、上記取付孔３を用いて任意の高さに棚板を取り付け可能とした収納キャビネット１と、長さ寸法Ｌが収納キャビネット１の奥行き寸法Ｄよりも長い左右一対のデスク受け金具４と、デスク受け金具４の長さ寸法Ｌと略同じ奥行き寸法Ｅ１を有し且つ側板２，２間の幅寸法Ｇと略同じ幅寸法Ｅ２を有するデスクカウンター５とを備え、上記左右一対のデスク受け金具４の前半部分４Ａを収納キャビネット１の前方Ｂに突出させた状態で、その後半部分４Ｂを左右の側板２の任意の取付孔３に取付ネジ６で取り付けると共に、各デスク受け金具４の上面にデスクカウンター５の両端部を取り付けてなることを特徴としている。
【０００６】
このような構成とすることで、側板２に設けた複数の取付孔３のうちの任意に選んだ取付孔３に、デスク受け金具４を取り付け、デスク受け金具４の上面にデスクカウンター５を載設する構造となり、側板２の任意の高さにある取付孔３を選択して、デスクカウンター５を容易に且つ安定良く取り付けることができる。しかも、デスクカウンター５の脚部を設ける必要がないため、使用者の足元がすっきりとして、外観性がよくなり、周囲の収納性及び使用性もよくなる。さらに、デスクカウンター５の高さを取付孔３のピッチに合わせて調整できるので、使用者の使用態様に応じた高さ位置を容易に選択できるものとなる。
【０００７】
また上記デスク受け金具４の内側側面２ａが、デスクカウンター５の下に配置される引出し１２のレール受け部１３となっているのが好ましく、この場合、デスク受け金具４を利用して引出し１２をガイドできるようになり、従って、側板２に引出しガイドを設ける必要がなく、側板２の構造を簡略化できる。
【０００８】
また上記デスクカウンター５よりも上部の任意の取付孔３に棚受け金具１４を取り付け、この棚受け金具１４に、収納キャビネット１の奥行き寸法Ｄよりも短い奥行き寸法Ｊの小棚１５を取り付けるのが好ましく、この場合、デスクカウンター５の上部の任意の取付孔３を用いて小棚１５を容易に且つ安定良く取り付け可能となる。
【発明の効果】
【０００９】
本発明に係るデスクカウンター付き収納キャビネットにあっては、側板の任意の高さにデスクカウンターを容易に且つ安定良く取り付けることができると共に、使用者の足元がすっきりとして、外観性がよくなり、周囲の収納性及び使用性もよくなり、使用者の使用態様に応じた高さ位置を容易に選択できるものである。
【発明を実施するための最良の形態】
【００１０】
以下、本発明を添付図面に示す実施形態に基いて説明する。
【００１１】
本実施形態の収納キャビネット１は、図１〜図７に示すように、天板１ａと、左右の側板２と、底板１ｃと、背板１ｂとを備えると共に、左右の側板２の内側側面２ａの高さ方向Ｈに前後２列の多数の取付孔３が凹設され、これら取付孔３を用いて任意の高さに通常の棚板（図示せず）が取り付け可能となっている。この収納キャビネット１には、左右一対のデスク受け金具４とデスクカウンター５とが取り付けられる。なお、各取付孔３の数、配列は特に問わない。
【００１２】
上記デスク受け金具４は、図３、図９に示すように、その長さ寸法Ｌが収納キャビネット１の奥行き寸法Ｄよりも長く設定される。本例では、デスク受け金具４は、左右の側板２の任意の取付孔３（本例では、一方の側板２の同じ高さにある前後２つの取付孔３，３と、他方の側板２の同じ高さにある前後２つの取付孔３，３の計４つの同じ高さの取付孔３を用いる。）に取り付けられる後半部分４Ｂの長さと、収納キャビネット１の前方Ｂに突出する前半部分４Ａの長さとが略同じに設定されている。もちろん、前半部分４Ａと後半部分４Ｂの長さは異なるものであってもよい。後半部分４Ｂは、左右の側板２の任意の取付孔３に取付ネジ６で取り付けられる。ここで、各取付孔３はダボ孔であり、通常の棚板を取り付ける際には例えば棒状ダボを嵌合させ、棒状ダボの突出部分に通常の棚板を載置するのであるが、本実施形態では、ダボ孔に取付ネジ６を螺入させることで、デスク受け金具４の後半部分４Ｂを側板２に対して強固に固定できるようにしている。なお、図９中の１３はデスク受け金具４の内側側面に形成されるレール受け部、３６は側板取付下穴、３７はデスクカウンター取付下穴、３８はサイドカバー６０取付下穴、３９は引き出しレール取付下穴である。
【００１３】
上記デスクカウンター５の両端部は、左右一対のデスク受け金具４の上面に各々取り付けられる。デスクカウンター５はデスク受け金具４の長さ寸法Ｌと略同じ奥行き寸法Ｅ１を有し且つ側板２，２間の幅寸法Ｇと略同じ幅寸法Ｅ２を有しており、作業机として使用される。
【００１４】
ここで、図１において、収納キャビネット１の奥行き寸法Ｄが例えば３００ｍｍの場合、デスク受け金具４の長さ寸法Ｌ（図３）は例えば５７０ｍｍ、引出し１２の下面までの高さＨ１は例えば６００ｍｍ、デスクカウンター５の上面の高さＨ２は例えば６９０ｍｍ、デスクカウンター５の前方突出部分の長さＦは例えば２８０ｍｍ前後に設定されている。もちろんこれらの数値は一例であり、適宜変更可能である。
【００１５】
上記デスクカウンター５の下には、図７に示すように、左右２つの引出し１２が取り付けられている。引出し１２は、本体レール１７と中間レール１８とからなる引き出しレール１６を用いて、デスク受け金具４及びレール受け金具３４に対してガイドされている。ここでは、デスク受け金具４の内側側面２ａが、引出し１２を取り付けるレール受け部１３となっている。図６に示す例では、断面Ｌ字形のレール受け部１３の垂直面に、断面略Ｃ字形の本体レール１７を取り付け、一方、引出し１２の外側側面に、図７（ａ）に示すように、断面略Ｃ字形の固定レール１９を取り付け、上記本体レール１７内に摺動自在に挿入されている中間レール１８内に固定レール１９を摺動自在に連結している。なお、デスク受け金具４と対向するレール受け金具３４にも、同様な引き出しレール１６が取り付けられ、これにより、引出し１２は、左右の引き出しレール１６を介して、前方Ｂに引き出し自在となっている。
【００１６】
さらに、左右の側板２には、それぞれ、図８に示すように、デスクカウンター５よりも上部で且つ奥側の任意の１つの取付孔３に、棚受け金具１４を介して小棚１５が取り付けられる。小棚１５は、収納キャビネット１よりも短い奥行き寸法Ｊとデスクカウンター５と略同じ幅寸法Ｅ２´とを有している。収納キャビネット１の奥行き寸法Ｄが例えば３００ｍｍのとき、小棚１５の奥行き寸法Ｊは例えば１４０ｍｍ前後とされる。なお、図８（ａ）中の２０はバックパネル２１に保持されるブックエンドである。
【００１７】
次に、上記収納キャビネット１にデスクカウンター５、引出し１２、小棚１５を取り付ける手順の一例を説明する。
【００１８】
予め、図２に示すように、デスクカウンター５の下面中央に引出し１２をガイドするレール受け金具３４を引き出し方向に沿ってネジ３３で固定し、デスクカウンター５の下面後端部に沿ってバック受け金具３５をネジで固定しておく。
【００１９】
先ず、図３に示すように、左右一対のデスク受け金具４の前半部分４Ａを収納キャビネット１の前方Ｂに突出させた状態で、その後半部分４Ｂを左右の側板２の任意の取付孔３に取付ネジ６で取り付ける。次に、図４に示すように、デスクカウンター５の両端部をデスク受け金具４の上面に載置して、デスク受け金具４の下方からネジ７でデスク受け金具４とデスクカウンター５とを固定する。さらにデスクカウンター５のバック受け金具３５を収納キャビネット１の背板１ｂにネジ８で取り付ける。
【００２０】
しかして、側板２に設けた多数の取付孔３のうちの任意に選んだ取付孔３に、デスク受け金具４を取り付け、デスク受け金具４の上面にデスクカウンター５を取り付けるので、側板２の任意の高さにある取付孔３を選択して、デスクカウンター５を容易に且つ安定良く取り付けることができる。しかも、デスクカウンター５の脚部を設ける必要がないため、使用者の足元がすっきりとして、外観性がよくなり、周囲の収納性及び使用性もよくなる。さらに、取付孔３を利用してデスク受け金具４を取り付け、そのうえにデスクカウンター５を乗せる構造であるので、デスクカウンター５の高さを取付孔３のピッチに合わせて調整でき、固定使用タイプのデスクカウンター５でありながら、使用者の使用態様に応じた高さ位置を容易に選択できるものとなる。
【００２１】
その後、デスク受け金具４の前半部分４Ａの両外側に、図５に示すように、化粧用のサイドカバー６０をネジ９でそれぞれ取り付ける。このサイドカバー６０によってデスクカウンター５の前方突出部分の外観性が向上する。
【００２２】
また、上記デスクカウンター５の下に引出し１２を取り付けるにあたっては、図６に示すように、デスク受け金具４のレール受け部１３及びレール受け金具３４に、それぞれ、引き出しレール１６の本体レール１７をネジ１０て取り付け、一方、引出し１２に固定レール１９をネジ１１で取り付け、引き出しレール１６の中間レール１８に固定レール１９を摺動自在に連結することにより、引出し１２を前方Ｂに引き出し自在にガイドできるようになる。また、デスク受け金具４を利用して引出し１２をガイドできるので、側板２に引出しガイドを設ける必要がなく、側板２の構造を簡略化できるようになる。
【００２３】
さらに、上記デスクカウンター５の上部に小棚１５を取り付けるにあたっては、図８に示すように、デスクカウンター５よりも上部の取付孔３（本例では、一方の側板２の奥側の１つの取付孔３と、他方の側板２の奥側の１つの取付孔３の計２つの同じ高さの取付孔３を用いる。）に、コ字形の棚受け金具１４をネジ３０で取り付ける。この棚受け金具１４は、図８（ｂ）に示すように、取付孔３にネジ止めされる固定部の上端から突出する上支持部１４ａと、固定部の下端から突出する逆三角形状の下支持部１４ｂとが一体形成されている。一方、小棚１５の奥側端部にバックパネル２１の下端のコ字状部２１ａを固定し、このコ字状部２１ａの幅方向の左右両端部を、左右の棚受け金具１４に向って前方Ｂから嵌め込む。これにより、バックパネル２１のコ字状部２１ａが棚受け金具１４の上支持部１４ａと下支持部１４ｂとの間に嵌合されて、小棚１５が棚受け金具１４に対して容易に且つ安定良く取り付けられる。しかも、デスクカウンター５の上部の任意の取付孔３を用いて棚受け金具１４と小棚１５とを取り付けるので、デスクカウンター５の上部の任意の高さに小棚１５を容易に且つ安定良く配置できるようになる。なお小棚１５のサイズは適宜変更自在である。
【図面の簡単な説明】
【００２４】
【図１】本発明の一実施形態のデスクカウンター付き収納キャビネットの側面図である。
【図２】同上のデスクカウンターの下面側の斜視図である。
【図３】（ａ）は同上のデスク受け金具の取り付け状態を説明する斜視図、（ｂ）は断面図である。
【図４】同上のデスクカウンターをデスク受け金具に取り付ける状態を説明する斜視図である。
【図５】同上のデスクカウンターの外側にサイドカバーを取り付ける場合の斜視図である。
【図６】同上のデスク受け金具の内側側面及びレール受け金具にそれぞれ、引き出しレールを取り付ける状態を説明する斜視図である。
【図７】（ａ）は引出しの斜視図、（ｂ）は同上の引出しをデスクカウンターの下に取り付けた状態の斜視図である。
【図８】（ａ）は小棚を取り付けた状態の側面図、（ｂ）は棚受け金具に小棚を取り付ける状態を説明する斜視図である。
【図９】（ａ）は同上のデスク受け金具の平面図、（ｂ）は正面図、（ｃ）は側面図である。
【符号の説明】
【００２５】
１  収納キャビネット
２  側板
２ａ  内側側面
３  取付孔
４  デスク受け金具
４Ａ  前半部分
４Ｂ  後半部分
５  デスクカウンター
６  取付ネジ
１２  引出し
１４  棚受け金具
１５  小棚
Ｈ  高さ方向
Ｌ  デスク受け金具の長さ寸法
Ｄ  収納キャビネットの奥行き寸法
Ｅ１  デスクカウンターの奥行き寸法
Ｅ２  デスクカウンターの幅寸法
【図１】
2005177185.tif 000003
【図２】
2005177185.tif 000004
【図３】
2005177185.tif 000005
【図４】
2005177185.tif 000006
【図５】
2005177185.tif 000007
【図６】
2005177185.tif 000008
【図７】
2005177185.tif 000009
【図８】
2005177185.tif 000010
【図９】
2005177185.tif 000011